(57)【要約】      （修正有）【課題】自己が撮影した写真等、所望の画像を容易に表示画像とすることができるパズルを提供する。【解決手段】同一サイズの正六面体ピース３０−１〜３０−４９をＮ個（Ｎ＝ｍ×ｎ：ｍ、ｎは２以上の自然数）備え、各正六面体ピース３０−１〜３０−４９の一つの側面には、正六面体ピース３０−１〜３０−４９をｍ行×ｎ列に縦横配置させたときの全体寸法と同じ全体寸法であり、予め選択した図柄を表示する全体画像シートをｍ行×ｎ列に分割して形成した部分画像シートをそれぞれ配置し、Ｎ個の正六面体ピース３０−１〜３０−４９を所定位置及び所定姿勢で縦横配置した状態で全体画像２０を表出するパズル１０であって、部分画像シートは、各ピースの側面に剥離可能に接合され、異なる図柄を表示する分画像シートに交換可能とした。【選択図】図１
0003213459.tif 000002
【実用新案登録請求の範囲】
【請求項１】
同一サイズの正六面体ピースをＮ個（Ｎ＝ｍ×ｎ：ｍ、ｎは２以上の自然数）備え、
前記正六面体ピースの少なくとも一つの側面には、前記正六面体ピースをｍ行×ｎ列に縦横に整列配置させたときの全体寸法と同じ全体寸法であり、予め選択した図柄を表示する全体画像を表示した画像シートを、ｍ行×ｎ列に分割して形成した部分画像シートを配置し、
前記Ｎ個の正六面体ピースを所定の位置関係及び所定の姿勢で縦横に整列配置した状態で前記全体画像を表示するパズルにおいて、
前記部分画像シートは、前記各ピースの側面に剥離可能に接合されており、分割画像シートを交換可能としたことを特徴とするパズル。
【請求項２】
各正六面体ピースの少なくとも一つの側面は、粘着部材を容易に取り外せる剥離面として構成されていることを特徴とする請求項１に記載のパズル。
【請求項３】
前記部分画像シートには、前記部分画像シートを前記正六面体ピースの側面に剥離可能に接合する粘着面が形成されていることを特徴とする請求項１又は請求項２に記載のパズル。
【請求項４】
各正六面体ピースの各側面には、異なる図柄を表示する複数種の全体画像に基づいて作成された複数種の部分画像シートが配置されていることを特徴とする請求項１に記載のパズル。
【請求項５】
前記Ｎ個の正六面体ピースをｍ行×ｎ列に整列した状態で収納するケースを備えることを特徴とする請求項１に記載のパズル。
【考案の詳細な説明】
【技術分野】
【０００１】
本考案は、複数の正六面体ピースを所定位置及び所定姿勢で縦横に整列配置することで全体として画像を表示するパズルに関する。
【背景技術】
【０００２】
従来、上述したパズルとして正六面体ピースの６側面に異なる部分画像を表示して、正六面体ピースを整列配置することで、６つの異なる画像を選択して表示できるものがある（特許文献１、特許文献２参照）。
【先行技術文献】
【特許文献】
【０００３】
【特許文献１】実開平７−３４８９２号公報
【特許文献２】実登３０８３３２６号公報
【考案の概要】
【考案が解決しようとする課題】
【０００４】
しかし、上述した従来のパズルは、パズルを解いた状態で予め準備された図柄や画像が表示できるだけである。このため、パズルに準備された画像とは異なる画像、例えば自己が撮影した写真をパズルの画像として使用できないという問題がある。
【０００５】
そこで本考案は、自己が撮影した写真等、所望の画像を容易に表示画像とすることができるパズルを提供することを課題とする。
【課題を解決するための手段】
【０００６】
前記課題を解決する請求項１に記載の考案は、同一サイズの正六面体ピースをＮ個（Ｎ＝ｍ×ｎ：ｍ、ｎは２以上の自然数）備え、前記正六面体ピースの少なくとも一つの側面には、前記正六面体ピースをｍ行×ｎ列に縦横に整列配置させたときの全体寸法と同じ全体寸法であり、予め選択した図柄を表示する全体画像を表示した画像シートを、ｍ行×ｎ列に分割して形成した部分画像シートを配置し、前記Ｎ個の正六面体ピースを所定の位置関係及び所定の姿勢で縦横に整列配置した状態で前記全体画像を表示するパズルにおいて、前記部分画像シートは、前記各ピースの側面に剥離可能に接合されており、分割画像シートを交換可能としたことを特徴とするパズルである。
【０００７】
本考案によれば、ピースの各側面に表示される部分画像シートは、剥離可能に接合され、異なる図柄を表示する他の分画像シートに交換可能である。よって、パズルが表示する図柄を自己が撮影した写真等、所望の画像に変更できる。
【０００８】
同じく請求項２に記載の考案は、各正六面体ピースの少なくとも一つの側面は、粘着部材を容易に取り外せる剥離面として構成されていることを特徴とする。
【０００９】
本考案によれば、各正六面体ピースの少なくとも一つの側面は、粘着部材を容易に取り外せる剥離面として構成されている。よって、部分画像シートを容易に剥離して他の図柄を表示するものに変更できる。
【００１０】
同じく請求項３に記載の考案は、前記部分画像シートには、前記部分画像シートを前記正六面体ピースの側面に剥離可能に接合する粘着面が形成されていることを特徴とする。
【００１１】
本考案によれば、部分画像シートには、前記部分画像シートを前記正六面体ピースの側面に剥離可能に接合する粘着面が形成されている。よって、部分画像シートを正六面体ピースに接合できるし、また接合した部分画像シートを容易に剥離できる。
【００１２】
同じく請求項４に記載の考案は、各正六面体ピースの各側面には、異なる図柄を表示する複数種の全体画像シートに基づいて作成された複数種の部分画像シートが配置されていることを特徴とする。
【００１３】
本考案によれば、各正六面体ピースの各側面には、異なる図柄を表示する複数種の全体画像シートに基づいて作成された複数種の部分画像シートが配置されている。よって、一つのパズルで複数種の画像についてのパズルを楽しめる他、パズルを組み立てた状態で複数種の画像を変更可能に表示することができる。
【００１４】
同じく請求項５に記載の考案は、前記Ｎ個の正六面体ピースをｍ行×ｎ列に整列した状態で収納するケースを備えることを特徴とする。
【００１５】
本考案によれば、ケースにすべての正六面体ピースを整列した状態で収納することができる。よって、正六面体ピースをケースに配置しつつパズルを楽しむことができ、正六面体ピースの紛失を防止できる他、ケース内で組み立てた正六面体ピースにより画像を飾ること画できる。
【考案の効果】
【００１６】
本考案に係るパズルによれば、自己が撮影した写真等、所望の画像を容易に表示画像にできる。
【００１７】
即ち、本考案によれば、正六面体ピースの各側面に表示される部分画像シートは、剥離可能に接合され、異なる図柄を表示する分画像シートに交換可能であるので、パズルが表示する図柄を自己が撮影した写真等、所望の画像に設定できる。
【００１８】
同じく請求項２に記載のパズルによれば、各正六面体ピースの少なくとも一つの側面は、粘着部材を容易に取り外せる剥離面として構成されているので、部分画像シートを容易に剥離して他の図柄を表示するものに変更できる。
【００１９】
同じく請求項３に記載のパズルによれば、部分画像シートには、前記部分画像シートを前記正六面体ピースの側面に剥離可能に接合する粘着面が形成されているので、部分画像シートを正六面体ピースに接合できるし、また接合した部分画像シートを容易に剥離できる。
【００２０】
同じく請求項４に記載のパズルによれば、各正六面体ピースの各側面には、異なる図柄を表示する複数種の全体画像シートに基づいて作成された複数種の部分画像シートが配置されているので、一つのパズルで複数種の画像についてのパズルを楽しめる他、パズルを組み立てた状態で複数種の画像を変更可能に表示することができる。
【００２１】
同じく請求項５に記載のパズルによれば、ケースにすべての正六面体ピースを整列した状態で収納することができるので、ピースをケースに配置しつつパズルを楽しむことができ、正六面体ピースの紛失を防止できる他、ケース内で組み立てた正六面体ピースにより画像を飾ること画できる。
【図面の簡単な説明】
【００２２】
【図１】本発明の実施形態に係るパズルを示すものであり、（ａ）はパズルの表示画像の一例を示す図、（ｂ）は正六面体ピースの配置位置を示す図である。
【図２】同パズルの正六面体ピースにおける部分画像シートの配置状態を示すものであり、（ａ）、（ｂ）はそれぞれ異なった方向からの斜視図である。
【図３】同パズルの正六面体ピースを示すものであり、（ａ）は展開図、（ｂ）は図２（ａ）中のＩ−Ｉ線に相当する断面図、（ｃ）は図２（ａ）中のＩＩ−ＩＩ線に相当する断面図である。
【図４】同パズルにおける６種類の表示画像を示す模式図である。
【図５】同パズルにおいて正六面体ピースを組み立てる状態を示す図である。
【考案を実施するための形態】
【００２３】
本考案を実施するための形態に係るパズルについて説明する。本実施形態に係るパズルは、同一サイズの正六面体ピースをＮ個（Ｎ＝ｍ×ｎ：ｍ、ｎは２以上の自然数）備え、各正六面体ピースの一つの側面には、前記正六面体ピースをｍ行×ｎ列に縦横配置させたときの全体寸法と同じ全体寸法であり、予め選択した図柄を表示する全体画像シートをｍ行×ｎ列に分割して形成した部分画像シートをそれぞれ配置し、前記Ｎ個の正六面体ピースを所定位置及び所定姿勢で縦横配置した状態で前記全体画像を表出するパズルであって、前記部分画像シートは、前記各ピースの側面に剥離可能に接合され、異なる図柄を表示する分画像シートに交換可能としたことを特徴とする。
【００２４】
本実施形態に係るパズルによれば、正六面体ピースの各側面に表示される部分画像シートは、剥離可能に接合され、異なる図柄を表示する分画像シートに交換可能である。よって、パズルが表示する図柄を自己が撮影した写真等、所望の画像に設定できる。
【００２５】
図１は本発明の実施形態に係るパズルを示すものであり、（ａ）はパズルの表示画像の一例を示す図、（ｂ）は正六面体ピースの配置位置を示す図、図２は同パズルの正六面体ピースにおける部分画像シートの配置状態を示すものであり、（ａ）、（ｂ）はそれぞれ異なった方向からの斜視図である。また、図３は同パズルの正六面体ピースを示すものであり、（ａ）は展開図、（ｂ）は図２（ａ）中のＩ−Ｉ線に相当する断面図、（ｃ）は図２（ａ）中のＩＩ−ＩＩ線に相当する断面図、図４は同パズルにおける６種類の表示画像を示す模式図、図５は同パズルにおいて正六面体ピースを組み立てる状態を示す図である。
【００２６】
本考案の実施形態に係るパズル１０は、ｎ×ｍ＝Ｎ個（ｎ、ｍは２以上の自然数）、本例では、７×７＝４９個の正六面体ピース３０−１〜３０−４９を備える。正六面体ピース３０−１〜３０−４９は一辺が例えば２ｃｍの木材、合成樹脂で形成することができる。なお、４９個の正六面体ピースを区別せず説明するとき、単に正六面体ピース３０という。
【００２７】
本実施形態に係るパズル１０は、４９個の正六面体ピース３０−１〜３０−４９を７行×７列で正しい位置に配置し、全体画像２０を表示させることで完成状態となる。正六面体ピース３０には、全体画像の４９分割した部分画像シートが配置されている。部分画像シートは、パズル１０の完成状態で表示される正方形状の全体画像２０を表示した全体画像シートを、７行×７列に分割して形成する。パズル１０を完成させた状態で、パズル１０は１４ｃｍ×１４ｃｍとなる。
【００２８】
また、パズル１０は、図１及び図５に示すように、正六面体ピース３０−１〜３０−４９を７行×７列に整列した状態で収納するケース５０を備える。ケース５０は例えば厚紙、木材、合成樹脂等で構成され、底板５１、４枚の側板５２、５３、５４、５５を備えて構成される。ケース５０内で正六面体ピース３０を保管するため、ケース５０内に正六面体ピース３０を適宜の位置に配置してパズル１０を完成させるため、さらに完成したパズル１０の全体画像２０を展示するために使用することができる。また、ケース５０に被せる蓋部材を備えることができる。
【００２９】
正六面体ピース３０は、図２（ａ）、（ｂ）に示すように、６つの側面３１〜３６を備える。このため、パズル１０は、すべての正六面体ピース３０−１〜３０−４９の所定の側面を表側として整列させ、６種類の異なる全体画像を表示可能である。即ち、図４に示すように、全体画像２１（画像「イ」）、全体画像２２（画像「ロ」）、全体画像２３（画像「ハ」）、全体画像２４（画像「ニ」）、全体画像２５（画像「ホ」）、全体画像（画像「ヘ」）を表示できる。なお、パズル１０には、６種類すべて全体画像を表示できるようにする必要はなく、パズル１０は１面〜５面の全体画像を表示できる。
【００３０】
図３（ａ）、（ｂ）に示すように、一つの正六面体ピース３０に着目すると、正六面体ピース３０の６つの側面３１〜側面３６には、部分画像シート４１〜４６が配置されている。部分画像シート４１は全体画像２１を、部分画像シート４２は全体画像２２を、部分画像シート４３は全体画像２３を、部分画像シート４４は全体画像２４を、部分画像シート４５は全体画像２５を、部分画像シート４６は全体画像２６をそれぞれ７行×７列に４９分割した画像を表示する。これらの部分画像シート４１〜４６は、粘着剤が塗布されたプリント用紙に、全体画像をパズル１０のサイズ（１４ｃｍ×１４ｃｍ）で印刷し、このプリント用紙を正六面体ピース３０の各側面のサイズ（２ｃｍ×２ｃｍ）を単位として７行×７列に切断して作成する。
【００３１】
パズル１０で６種類の全体画像を表示できるようにするには、図３（ａ）、（ｂ）に示すように、正六面体ピース３０−１〜３０−４９のそれぞれの側面３１〜３６に異なる全体画像から作成した部分画像を配置する。即ち、側面３１に全体画像２１（画像「イ」）の部分画像シート４１（画像「Ａ」）を配置し、側面３２に全体画像２２（画像「ロ」）の部分画像シート４３（画像「Ｂ」）を配置し、側面３３に全体画像２３（画像「ハ」）の部分画像シート４３（画像「Ｃ」）を配置し、側面３４に全体画像２４（画像「ニ」）の部分画像シート４４（画像「Ｄ」）を配置し、側面３５に全体画像２５（画像「ホ」）の部分画像シート４５（画像「Ｅ」）を配置し、側面３６に全体画像２６（画像「ヘ」）の部分画像シート４６（画像「Ｆ」）を配置する。なお、パズル１０で１種類〜５種類のうち任意の数の全体画像を表示させる場合は必要な側面に必要な部分画像を表示すればよい。
【００３２】
パズル１０を完成するには、図５に示すように、ケース５０内にすべての正六面体ピース３０−１〜３０−４９を正しい位置に、正しい姿勢で配置する。即ち、正六面体ピース３０−１を図１（ｂ）に示した位置（１，１）に、正六面体ピース３０−２を同（１，２）に、正六面体ピース３０−３を同（１，３）に、…、正六面体ピース３０−４９を同（７，７）に、且つ正しい姿勢で配置する。
【００３３】
ここで、正しい姿勢とは、部分画像シートの表示画像が同一の上下左右方向を向いていることであり、正六面体ピース３０が正しい位置に配置されたとしても、正しい姿勢でないと部分画像は上下左右方向に反対を向き、隣接する部分画像と連続しない状態となる。パズル１０が完成すると、パズル１０の上面に特定の全体画像、例えば図１（ａ）に示す蒸気機関車を表す全体画像２０が表出される。
【００３４】
本実施形態に係るパズル１０では、正六面体ピース３０の側面３１〜３６を粘着部材であるプリント用紙の粘着剤層を容易に取り外せる剥離面として構成する。このため、本実施形態に係るパズル１０では、部分画像シートは、異なる図柄を表示する分画像シートに容易に交換できる。正六面体ピース３０の側面３１〜３６には、フッ素樹脂加工を施すことが好ましい。また、剥離面は他の公知の手法で形成することができる。なお、すべての側面３１〜３６に剥離面を形成するのではなく、少なくとも一つの側面を剥離面とすることができる。
【００３５】
よって、本実施形態に係るパズル１０によれば、正六面体ピース３０−１〜３０−４９に、全体画像として所望の画像、例えば自己が撮影した写真や、お気に入りの画像をプリント用紙にプリントして切断した部分画像シートを貼付することができ、これを必要に応じて張り替えることができる。
【００３６】
さらに、本実施形態に係る１０は、上述したように、正六面体ピース３０−１〜３０−４９を７行×７列に整列した状態で収納するケース５０を備えている。これにより、図５に示すように、ケース５０内に正六面体ピース３０−１〜３０−４９を配置してパズルを完成して全体画像を表示することができる。図５では、正六面体ピース３０−１０は、異なる側面を上側に向けているので、回転して配置する必要がある。
【００３７】
このように、本実施形態に係るパズル１０は、４９個の正六面体ピース３０−１〜３０−４９をケース５０内に散らばることなく配置でき容易にパズルを楽しむことができる。また、ケース５０を備えることにより、正六面体ピースの紛失を防止できる他、ケース内で組み立て完成した画像を飾ることができる。また、ケース５０を覆う蓋部材を設けることができ、この蓋部材を透明の素材で形成すれば、パズル１０に全体表示された画像を、正六面体ピースの崩れを防止しつつ展示できる。
【００３８】
なお、部分画像シートを作成するプリント用紙としては、正六面体ピースの側面に剥離可能に接合する粘着面を備えるものを使用することができる。これにより、部分画像シートを正六面体ピースに配置でき、また配置した部分画像シートを容易に剥離できる。
【００３９】
また、上記例では、正六面体ピースの数を７行×７列に配置する４９個として説明したが、ｍ行×ｎ列に配置できる所定のＮ個とすることができる。
【産業上の利用可能性】
【００４０】
本考案は、自己が撮影した写真等、所望の画像を容易に表示画像とすることができるので、購買者の興味を引き購買意欲を増すため産業上の利用可能性がある。
【符号の説明】
【００４１】
１０：パズル
２０、２１、２２、２３、２４、２５、２６：全体画像
３０：正六面体ピース
３０−１〜３０−４９：正六面体ピース
３１、３２、３３、３４、３５、３６：側面
４１、４２、４３、４４、４５、４６：部分画像シート
５０：ケース
【図１】
0003213459.tif 000003
【図２】
0003213459.tif 000004
【図３】
0003213459.tif 000005
【図４】
0003213459.tif 000006
【図５】
0003213459.tif 000007